(57)【要約】    【課題】偽輪郭を抑制しつつ中間輝度レベルの階調数を増やすことができるプラズマディスプレイパネルの駆動方法を提供することを目的とする。    【解決手段】２のべき乗にて示される値の輝度重みが夫々に割り当てられているサブフィールドからなる第１サブフィールド群内の全てのサブフィールドにおいて放電セルが点灯モードに設定される発光パターンに対応して設定された輝度レベルよりも１階調分だけ高輝度な輝度レベルを表現する場合には、２のべき乗にて示される値以外の輝度重みが夫々に割り当てられているサブフィールドからなる第２サブフィールド群内の少なくとも１のサブフィールドと、上記第１サブフィールド群内の少なくとも１のサブフィールドとにおいて放電セルを点灯モードに設定する。    【選択図】  図４
2006145976.tif 000002
【特許請求の範囲】
【請求項１】
各画素に対応した複数の放電セルがマトリクス状に配列されているプラズマディスプレイパネルを単位表示期間毎にＮ個（Ｎ：２以上の整数）のサブフィールドにて階調駆動するプラズマディスプレイの駆動方法であって、
前記サブフィールドの各々は、入力映像信号に応じて前記放電セル各々を選択的に放電せしめることにより前記放電セル各々を点灯モード及び消灯モードの内のいずれか一方の状態に設定するアドレスステップと、前記点灯モードに設定された前記放電セルのみを前記サブフィールドに割り当てられている輝度重みに対応した回数だけ繰り返し放電せしめるサスティンステップと、を含み、
前記サブフィールド各々は２のべき乗にて示される値の輝度重みが夫々に割り当てられているサブフィールドからなる第１サブフィールド群と、２のべき乗にて示される値以外の輝度重みが夫々に割り当てられているサブフィールドからなる第２サブフィールド群の内のいずれか一方に属し、
前記第１サブフィールド群内の全てのサブフィールドにおいて前記放電セルが前記点灯モードに設定される発光パターンに対応して設定された輝度レベルよりも１階調分だけ高輝度な輝度レベルを表現する場合には、前記第２サブフィールド群内の少なくとも１のサブフィールドと、前記第１サブフィールド群内の少なくとも１のサブフィールドとにおいて前記放電セルを前記点灯モードに設定することを特徴とするプラズマディスプレイの駆動方法。
【請求項２】
前記第２サブフィールド群内の１のサブフィールドには、前記第１サブフィールド群に属するサブフィールド各々に割り当てられている輝度重みの内で最大のものよりも大なる輝度重みが割り当てられており、
前記第１サブフィールド群に属する全てのサブフィールドにおいて前記放電セルが前記点灯モードに設定された場合に表現される輝度レベルよりも１階調分だけ高輝度な輝度レベルを表現する場合には、前記第２サブフィールド群内の前記１のサブフィールドと、前記第１サブフィールド群に属する少なくとも１のサブフィールドとにおいて前記放電セルを前記点灯モードに設定することを特徴とする請求項１記載のプラズマディスプレイの駆動方法。
【請求項３】
前記第１サブフィールド群に属するサブフィールド各々に割り当てられている輝度重みの内で最大の輝度重みの値は前記Ｎ個のサブフィールド各々に割り当てられている輝度重みの中で第Ｋ番目（Ｋ：１以上の整数）に小なる値であり、
前記第２サブフィールド群内の前記１のサブフィールドに割り当てられている輝度重みの値は第（Ｋ＋１）番目に小なる値であることを特徴とする請求項１記載のプラズマディスプレイの駆動方法。
【請求項４】
前記第１サブフィールド群に属するサブフィールドの内で最大の輝度重みが割り当てられているサブフィールドには２(K-1)にて示される輝度重みが割り当てられており、
前記第２サブフィールド群内の前記１のサブフィールドには２Kにて示される値よりも小なる輝度重みが割り当てられていることを特徴とする請求項３記載のプラズマディスプレイの駆動方法。
【請求項５】
前記第１サブフィールド群に属するサブフィールドの内で最大の輝度重みが割り当てられているサブフィールドと、前記第１サブフィールド群に属するサブフィールドの内で第２番目に大なる輝度重みが割り当てられているサブフィールドとの間に、前記第２サブフィールド群に属するサブフィールド各々が連続して配置されていることを特徴とする請求項１〜４のいずれか１に記載のプラズマディスプレイの駆動方法。
【請求項６】
前記第１サブフィールド群に属するサブフィールドの各々が、全ての前記放電セルを放電させることにより前記放電セル各々を前記点灯モード及び前記消灯モードの内の一方の状態に初期化するリセットステップを更に含み、
前記第２サブフィールド群に属するサブフィールド各々の内で先頭に配置されたサブフィールドのみが前記リセットステップを更に含むことを特徴とする請求項５に記載のプラズマディスプレイの駆動方法。
【発明の詳細な説明】
【技術分野】
【０００１】
本発明は、プラズマディスプレイパネルの駆動方法に関する。
【背景技術】
【０００２】
薄型の表示デバイスとして、放電に伴う発光現象を利用して画像表示を行う交流放電型のプラズマディスプレイパネル（以下、ＰＤＰと称する）が知られている。ＰＤＰには、画素に対応した複数の放電セルがマトリクス状に配列されている。この際、各放電セルは、放電時の発光状態（最大輝度レベル）と、非放電時の消灯状態（最低輝度レベル）の２つの状態しかもたない。そこで、かかる放電セルを有するＰＤＰに対して、入力映像信号によって示される中間輝度レベルの画像表示を実現させるべく、サブフィールド法を用いた階調駆動を実施する。サブフィールド法に基づく階調駆動では、入力映像信号における１フィールド（又はフレーム）の表示期間をＮ個のサブフィールドに分割し、各サブフィールド毎に放電セルに対する発光駆動を実施する。各サブフィールドには、そのサブフィールドの重み付けに対応した発光期間が割り当てられている。
【０００３】
例えば、図１に示す如く１フィールドの表示期間を６個のサブフィールドＳＦ１〜ＳＦ６に分割して駆動を行う場合には、サブフィールドＳＦ１〜ＳＦ６各々に、
ＳＦ１：１
ＳＦ２：２
ＳＦ３：４
ＳＦ４：８
ＳＦ５：１６
ＳＦ６：３２
なる発光期間を割り当てて発光駆動を実施する。
【０００４】
この際、例えば輝度レベル「３２」の表示を行う場合には、サブフィールドＳＦ１〜ＳＦ６の内のＳＦ６のみで放電セルを発光させる。これにより、１フィールドの表示期間内にて「３２」の期間に亘り発光が為されるので、その発光期間に対応した「３２」の輝度レベルが視覚される。又、輝度レベル「３１」の表示を行う場合には、サブフィールドＳＦ６を除く他のサブフィールドＳＦ１〜ＳＦ５において放電セルを発光させる。これにより、１フィールドの表示期間内にて「３１」の期間（＝１＋２＋４＋８＋１６）に亘り発光が為されるので、その発光期間に対応した「３１」の輝度レベルが視覚される。
【０００５】
ところが、上述した如き輝度レベル「３２」の表示を行う場合と、輝度レベル「３１」で表示を行う場合とでは、放電セルが発光している期間と消灯している期間とが互いに反転している為、偽輪郭が視覚されてしまう可能性がある。つまり、輝度レベル「３２」の表示が為される放電セルの発光期間中は、輝度レベル「３１」の表示が為される放電セルは消灯状態にある。一方、輝度レベル「３１」の表示が為される放電セルの発光期間中は、輝度レベル「３２」の表示が為される放電セルは消灯状態にある。よって、１画面内において輝度レベル「３２」の表示が為される領域と、輝度レベル「３１」の表示が為される領域とが隣接している場合に、図１に示す如きＳＦ６からＳＦ５へ切換わるタイミングにて両領域間で視線を移動させると、消灯状態（又は発光状態）のみを連続して眺めることになる。この際、輝度レベル「３２」の表示が為される領域と、輝度レベル「３１」の表示が為される領域との境界において、黒（又は白）色のラインが偽輪郭として視覚されるのである。
【０００６】
そこで、このような偽輪郭を防止する階調駆動方法が提案された（例えば、特許文献１の図３参照）。
【０００７】
かかる階調駆動方法では、１フィールドの表示期間を１４個のサブフィールドＳＦ１〜ＳＦ１４に分割し、入力映像信号に応じて図２に示す如き第１階調駆動〜第１５階調駆動の内のいずれか１を実行する。尚、図２においては、白丸印の付されたサブフィールドでは放電セルの発光を実施させ、黒丸印の付されたサブフィールド以降のサブフィールドでは放電セルを消灯状態に維持させる。すなわち、黒表示を実現する第１階調駆動を除き、先頭のサブフィールドＳＦ１にて必ず放電セルを発光させ、それ以降、表現すべき輝度レベルに応じた数のサブフィールド各々にて連続して放電セルを発光させるのである。この階調駆動方法によると、１フィールド期間内において、一度、消灯状態となった放電セルが点灯状態に復帰することが無い。よって、図１に示す如き、１フィールド表示期間内での放電セルの発光期間と消灯期間とが互いに反転する発光パターンの組み合わせが存在しないので、偽輪郭が抑制されるのである。
【０００８】
しかしながら、かかる階調駆動方法では、各放電セル毎に表現出来る階調数が、［各フィールドを分割するサブフィールド数＋１］に過ぎないので、入力映像信号によって表現される中間輝度を全て表現することが出来ない。
【特許文献１】特開２０００−２３１３６２号公報
【発明の開示】
【発明が解決しようとする課題】
【０００９】
本発明は、かかる問題を解決すべく為されたものであり、偽輪郭を抑制しつつ中間輝度レベルの階調数を増やすことができるプラズマディスプレイパネルの駆動方法を提供することを目的とするものである。
【課題を解決するための手段】
【００１０】
請求項１記載によるプラズマディスプレイパネルの駆動方法は、各画素に対応した複数の放電セルがマトリクス状に配列されているプラズマディスプレイパネルを単位表示期間毎にＮ個（Ｎ：２以上の整数）のサブフィールドにて階調駆動するプラズマディスプレイの駆動方法であって、前記サブフィールドの各々は、入力映像信号に応じて前記放電セル各々を選択的に放電せしめることにより前記放電セル各々を点灯モード及び消灯モードの内のいずれか一方の状態に設定するアドレスステップと、前記点灯モードに設定された前記放電セルのみを前記サブフィールドに割り当てられている輝度重みに対応した回数だけ繰り返し放電せしめるサスティンステップと、を含み、前記サブフィールド各々は２のべき乗にて示される値の輝度重みが夫々に割り当てられているサブフィールドからなる第１サブフィールド群と、２のべき乗にて示される値以外の輝度重みが夫々に割り当てられているサブフィールドからなる第２サブフィールド群の内のいずれか一方に属し、前記第１サブフィールド群内の全てのサブフィールドにおいて前記放電セルが前記点灯モードに設定される発光パターンに対応して設定された輝度レベルよりも１階調分だけ高輝度な輝度レベルを表現する場合には、前記第２サブフィールド群内の少なくとも１のサブフィールドと、前記第１サブフィールド群内の少なくとも１のサブフィールドとにおいて前記放電セルを前記点灯モードに設定する。
【発明を実施するための最良の形態】
【００１１】
２のべき乗にて示される値の輝度重みが夫々に割り当てられているサブフィールドからなる第１サブフィールド群内の全てのサブフィールドにおいて放電セルが点灯モードに設定される発光パターンに対応して設定された輝度レベルよりも１階調分だけ高輝度な輝度レベルを表現する場合には、２のべき乗にて示される値以外の輝度重みが夫々に割り当てられているサブフィールドからなる第２サブフィールド群内の少なくとも１のサブフィールドと、上記第１サブフィールド群内の少なくとも１のサブフィールドとにおいて放電セルを点灯モードに設定する。
【実施例】
【００１２】
図３は、本発明による駆動方法に基づいて表示パネルとしてのプラズマディスプレイパネルを発光駆動するプラズマディスプレイ装置の概略構成を示す図である。
【００１３】
かかるプラズマディスプレイ装置は、アドレスドライバ２０、Ｙ電極ドライバ３０、Ｘ電極ドライバ４０及び駆動制御回路５０からなるパネル駆動部と、プラズマディスプレイパネルとしてのＰＤＰ１０とから構成される。
【００１４】
ＰＤＰ１０の表示面を担う前面透明基板（図示せぬ）には、夫々が画面の横方向に伸張する行電極Ｘ1〜Ｘn及び行電極Ｙ1〜Ｙnが形成されている。又、ＰＤＰ１０の背面基板（図示せぬ）には、夫々が画面の縦方向に伸長する列電極Ｄ1〜Ｄmが形成されている。尚、これら行電極Ｘ1〜Ｘn及びＹ1〜Ｙnは、前面透明基板においてＸ、Ｙ交互に配列されており、互いに隣接する一対の行電極（Ｘ、Ｙ)にてＰＤＰ１０における各表示ラインを構成している。前面透明基板と背面基板との間には、放電ガスの封入された放電空間が形成されており、この放電空間を含む行電極対と列電極との各交叉部に、画素を担う放電セル（画素セル）が形成される構造となっている。
【００１５】
駆動制御回路５０は、入力映像信号を各画素毎の画素データに変換し、この画素データに基づき、各放電セルを設定すべきモード（点灯モード、消灯モード）を示す画素駆動データを生成して、アドレスドライバ２０に供給する。尚、入力映像信号にガンマ補正が施されている場合には、駆動制御回路５０は、入力映像信号に対してガンマ補正を解除すべき逆ガンマ補正を施してから上記の如き画素データ変換処理を実行する。
【００１６】
更に、駆動制御回路５０は、サブフィールド法に基づく図４に示す如き発光駆動シーケンスに従ってＰＤＰ１０を階調駆動させるべき各種タイミング信号を生成し、Ｙ電極ドライバ３０及びＸ電極ドライバ４０各々に供給する。アドレスドライバ２０、Ｙ電極ドライバ３０及びＸ電極ドライバ４０各々は、駆動制御回路５０から供給されたタイミング信号に応じて各種駆動パルスをＰＤＰ１０の列電極Ｄ、行電極Ｘ及びＹに印加する。
【００１７】
すなわち、アドレスドライバ２０、Ｙ電極ドライバ３０、Ｘ電極ドライバ４０及び駆動制御回路５０からなるパネル駆動部は、単位表示期間（１フレーム又は１フレームの表示期間）毎に、図４に示す如き発光駆動シーケンスに基づく７個のサブフィールドＳＦ１〜ＳＦ７にてＰＤＰ１０に対する階調駆動を実施する。
【００１８】
パネル駆動部は、サブフィールドＳＦ１〜ＳＦ７各々において、リセット行程Ｒｃ、アドレス行程Ｗｃ及びサスティン行程Ｉｃを夫々実行する。
【００１９】
リセット行程Ｒｃにおいて、パネル駆動部は、全ての放電セルを放電（以降、リセット放電と称する）させることにより、全放電セル内に残留する壁電荷を所定量以下に初期化する。
【００２０】
アドレス行程Ｗｃにおいて、パネル駆動部は、上記画素駆動データが点灯モードを示す場合にその画素駆動データに対応した放電セルに対して選択的に放電（以降、アドレス放電と称する）を生起させる。この際、アドレス放電の生起された放電セル内には所定量の壁電荷が形成され、この放電セルは点灯モードに設定される。尚、アドレス放電が生起されなかった放電セルはその直前までの状態、つまり壁電荷の量が所定量以下である消灯モードに設定される。
【００２１】
サスティン行程Ｉｃにおいて、パネル駆動部は、点灯モードに設定されている放電セルのみをそのサブフィールドの輝度重み付けに対応した期間（又は回数）に亘り繰り返し放電（以降、サスティン放電と称する）させ、このサスティン放電に伴う発光状態を維持させる。
【００２２】
尚、図４に示すように、サブフィールドＳＦ１〜ＳＦ７各々には、以下の如き輝度重み付が為されている。
【００２３】
ＳＦ１：１６
ＳＦ２：４６
ＳＦ３：２９
ＳＦ４：８
ＳＦ５：４
ＳＦ６：２
ＳＦ７：１
図５〜図７は、図４に示す発光駆動シーケンスに基づき、パネル駆動部が、入力映像信号に応じてＰＤＰ１０を駆動する際の単位表示期間（１フィールド又は１フレームの表示期間）内での発光駆動パターンを示す図である。
【００２４】
図５〜図７において、白丸印の付されているサブフィールドＳＦでは放電セルが点灯モードに設定される。つまり、このサブフィールドのサスティン行程Ｉｃにおいて上述した如く割り当てられた輝度重みに対応した期間（回数）に亘り放電セルが繰り返しサスティン放電し、その放電に伴う発光状態を維持するのである。この際、単位表示期間内において生起されたサスティン放電の合計期間（合計回数）に対応した中間輝度レベルが視覚される。すなわち、図５〜図７に示す如き１０７通りの発光パターンにより、入力映像信号によって示される最低〜最高輝度レベルの範囲内の各種の輝度レベルを１０７階調にて表現できるのである。
【００２５】
ここで、図４に示すように、サブフィールドＳＦ１〜ＳＦ７の内のＳＦ１及びＳＦ４〜ＳＦ７からなるサブフィールド群には比較的小なる輝度重みが割り付けられている。つまり、サブフィールドＳＦ７には第１番目に小なる輝度重み「１」、ＳＦ６には第２番目に小なる輝度重み「２」、ＳＦ５には第３番目に小なる輝度重み「４」、ＳＦ４には第４番目に小なる輝度重み「８」、ＳＦ１には第５番目に小なる輝度重み「１６」が夫々割り当てられている。すなわち、これらＳＦ１及びＳＦ４〜ＳＦ７には、２(K-1)（Ｋ：輝度重みが小なる順番）の如き２のべき乗にて示される輝度重みが割り当てられているのである。これらサブフィールドＳＦ１及びＳＦ４〜ＳＦ７の如き２のべき乗にて示される輝度重みが割り当てられているサブフィールド（以下、２のべき乗サブフィールドと称する）各々による点灯及び消灯状態の組み合わせ方により、「０」〜「３１」なる３２階調分の輝度成分が表現される。この際、輝度レベル「３１」を表現する場合には、図５の太線枠にて示されるように、上述した如きサブフィールドＳＦ１及びＳＦ４〜ＳＦ７各々で放電セルを点灯モードに設定する。
【００２６】
一方、輝度レベル「３１」よりも高輝度を表現する場合には、第６番目に小なる輝度重みが割り当てられているサブフィールドＳＦ３をも用いる。このサブフィールドＳＦ３には、上述した如き第５番目に小なる輝度重み「１６」と、第４番目に小なる輝度重み「８」と、第３番目に小なる輝度重み「４」とを加算した結果に「１」を加算して得られた「２９」なる輝度重みが割り当てられる。すなわち、サブフィールドＳＦ３には第６番目に小なる輝度重みとして、２のべき乗、つまり２(6-1)にて示される「３２」よりも小なる「２９」が割り当てられるのである。従って、輝度レベル「３１」よりも１段階だけ高輝度な輝度レベル「３２」を表現する場合には、図５の太線枠にて示されるように、サブフィールドＳＦ３の他にＳＦ６及びＳＦ７を夫々点灯モードに設定することになる。これにより、輝度レベル「３１」を表現する場合と「３２」を表現する場合とを比較した場合、サブフィールドＳＦ１及びＳＦ３〜ＳＦ５の各々において、点灯及び消灯状態の反転が生じる。しかしながら、サブフィールドＳＦ６及びＳＦ７に関しては、輝度レベル「３１」を表現する場合と「３２」を表現する場合とで点灯状態の反転が生じない。よって、サブフィールドＳＦ１及びＳＦ３〜ＳＦ７の全てで、点灯及び消灯状態の反転が生じてしまう場合に比して偽輪郭を抑制させることができる。
【００２７】
上記サブフィールドＳＦ１及びＳＦ４〜ＳＦ７にＳＦ３を加えたサブフィールドの各々により、図５及び図６に示す如く「０」〜「６０」までの輝度レベルが表現される。この際、輝度レベル「６０」を表現する場合には、図６の太線枠にて示されるように、上述した如きサブフィールドＳＦ１及びＳＦ３〜ＳＦ７各々で放電セルを点灯モードに設定する。
【００２８】
更に、輝度レベル「６０」よりも高輝度を表現する場合には、第７番目に小なる輝度重みが割り当てられているサブフィールドＳＦ２をも用いる。このサブフィールドＳＦ２には、上述した如き第６番目に小なる輝度重み「２９」と、第５番目に小なる輝度重み「１６」とを加算した結果に「１」を加算して得られた「４６」なる輝度重みが割り当てられている。すなわち、サブフィールドＳＦ２には、第７番目に小なる輝度重みとして、２のべき乗、つまり２(6-1)にて示される「６４」よりも小なる「４６」が割り当てられているのである。従って、輝度レベル「６０」よりも１段階だけ高輝度な輝度レベル「６１」を表現する場合には、図６の太線枠にて示されるように、サブフィールドＳＦ２の他にＳＦ４〜７を夫々点灯モードに設定することになる。この際、輝度レベル「６０」を表現する場合と「６１」を表現する場合とを比較した場合、サブフィールドＳＦ１〜ＳＦ３の各々において点灯及び消灯状態の反転が生じるが、その他のサブフィールドＳＦ４〜ＳＦ７に関しては、点灯状態の反転が生じない。よって、全てのサブフィールドＳＦ１〜ＳＦ７で、点灯及び消灯状態の反転が生じてしまう場合に比して偽輪郭を抑制させることができる。
【００２９】
又、図４に示す発光駆動シーケンスでは、比較的小なる輝度重みが割り当てられているサブフィールドの内で最も大なる輝度重み「１６」が割り当てられているＳＦ１と、第２番目に大なる輝度重みが割り当てられているＳＦ４との間に、比較的大なる輝度重み「２９」が割り当てられているＳＦ３を配置している。更に、かかるＳＦ４に後続して、第３番目に小なる輝度重みが割り当てられているＳＦ５、第２番目に小なる輝度重みが割り当てられているＳＦ６、及び最も小なる輝度重みが割り当てられているＳＦ７を順次配置している。かかる配置によれば、図５の太線枠に示す如き輝度レベル「３１」に対応した発光パターンに基づく発光重心と、輝度レベル「３２」に対応した発光パターンに基づく発光重心は、共に単位表示期間内の中央付近となるので、夫々の発光重心が単位表示期間内において分散する場合に比して偽輪郭が低減される。
【００３０】
更に、図４に示す発光駆動シーケンスでは、比較的小なる輝度重みが割り当てられているサブフィールドの内で最も大なる輝度重み「１６」が割り当てられているＳＦ１と、上記の如き輝度重み「２９」が割り当てられているＳＦ３との間に、最大の輝度重み「４６」が割り当てられているＳＦ２を配置している。かかる配置によれば、図６の太線枠に示す如き輝度レベル「６０」に対応した発光パターンに基づく発光重心と、輝度レベル「６１」に対応した発光パターンに基づく発光重心は共に単位表示期間内の中央付近となるので、夫々の発光重心が単位表示期間内において分散する場合に比して偽輪郭が低減される。
【００３１】
以上の如く、図４〜図７に示す駆動においては、第１のサブフィールド群（ＳＦ１及びＳＦ４〜ＳＦ７）に属するサブフィールドの各々対しては２のべき乗にて示される輝度重みを割り当て、第２のサブフィールド群（ＳＦ２及びＳＦ３）に属するサブフィールドの各々対しては２のべき乗にて示される値以外の輝度重みを割り当てるようにしている。かかる第２のサブフィールド群に属するサブフィールドＳＦ３には、第１のサブフィールド群に属するＳＦ１及びＳＦ４〜ＳＦ７各々に割り当てられている輝度重みの内で最も大なる輝度重み「１６」よりも大なる輝度重み「２９」が割り当てられている。この際、かかる輝度重み「１６」は、全てのサブフィールド各々に割り当てられている輝度重みの内で第５番目に小なる２のべき乗、つまり２(5-1)にて示される値であるが、輝度重み「２９」は、第６番目に小なる２のべき乗、つまり２(6-1)にて示される値「３２」よりも小である。従って、サブフィールドＳＦ１及びＳＦ４〜ＳＦ７の全てにおいて放電セルが点灯モードに設定される輝度レベル「３１」、「６０」、又は「７７」よりも１段階だけ高輝度を表す場合には、上記ＳＦ２又はＳＦ３と共に、ＳＦ１及びＳＦ４〜ＳＦ７の内の少なくとも１のサブフィールドにおいて放電セルを点灯モードに設定する。
【００３２】
よって、かかる駆動によれば、隣接する放電セル同士が互いに１段階だけ異なる輝度レベルにて発光駆動される際にも、単位表示期間内の少なくとも１のサブフィールドでは隣接する放電セル同士において点灯及び消灯状態の反転が生じないので、偽輪郭の発生が抑えられる。すなわち、上記駆動によれば、偽輪郭の発生を抑制しつつも、単位表示期間内の全サブフィールド数Ｎに「１」を加算した階調数（Ｎ＋１）よりも階調数を増加させて画像品質を向上させた表示が可能となるのである。
【００３３】
尚、図４〜図７に示される実施例においては、入力映像信号に基づく画像を１０７階調にて表す場合の駆動方法について説明したが、階調数１０７に限定されるものではない。
【００３４】
図８は、入力映像信号に基づく画像を２５６階調にて表現する場合に採用される発光駆動シーケンスの一例を示す図である。
【００３５】
アドレスドライバ２０、Ｙ電極ドライバ３０、Ｘ電極ドライバ４０及び駆動制御回路５０からなるパネル駆動部は、単位表示期間（１フレーム又は１フレームの表示期間）毎に、図８に示す発光駆動シーケンスに基づく１１個のサブフィールドＳＦ１〜ＳＦ１１にてＰＤＰ１０に対する階調駆動を実施する。パネル駆動部は、サブフィールドＳＦ１〜ＳＦ１１の各々において、アドレス行程Ｗｃ及びサスティン行程Ｉｃを夫々実行する。
【００３６】
サブフィールドＳＦ１〜ＳＦ１１各々のアドレス行程Ｗｃにおいて、パネル駆動部は、画素駆動データが点灯モードを示す場合に限りその画素駆動データに対応した放電セルのみにアドレス放電を生起させる。この際、アドレス放電の生起された放電セル内には所定量の壁電荷が形成され、この放電セルは点灯モードに設定される。尚、アドレス放電が生起されなかった放電セルは、現状（点灯モード又は消灯モード）を維持する。
【００３７】
サブフィールドＳＦ１〜ＳＦ１１各々のサスティン行程Ｉｃにおいて、パネル駆動部は、点灯モードに設定されている放電セルのみをそのサブフィールドの輝度重み付けに対応した期間（又は回数）に亘り繰り返しサスティン放電させ、この放電に伴う発光状態を維持させる。
【００３８】
尚、図８に示すように、サブフィールドＳＦ１〜ＳＦ１１各々には、以下の如き輝度重み付が為されている。
【００３９】
ＳＦ１：１６
ＳＦ２：４６
ＳＦ３：４６
ＳＦ４：４６
ＳＦ５：２９
ＳＦ６：２８
ＳＦ７：２９
ＳＦ８：８
ＳＦ９：４
ＳＦ１０：２
ＳＦ１１：１
つまり、単位表示期間内の先頭には輝度重み「１６」のサブフィールドＳＦ１が配置されている。かかるサブフィールドＳＦ１に後続してサブフィールド群ＳＧ１が配置されている。サブフィールド群ＳＧ１内では、最大の輝度重み「４６」が夫々に割り当てられているサブフィールドＳＦ２，ＳＦ３，ＳＦ４が順次配列されている。かかるサブフィールド群ＳＧ１に後続して、サブフィールド群ＳＧ２が配置されている。サブフィールド群ＳＧ２内では、２番目に大なる輝度重み「２９」が割り当てられているＳＦ５、それよりも「１」だけ小なる輝度重み「２８」が割り当てられているＳＦ６、輝度重み「２９」が割り当てられているＳＦ７が順次配列されている。そして、かかるサブフィールド群ＳＧ２に後続して、第４番目に小なる輝度重み「８」が割り当てられているＳＦ８、第３番目に小なる輝度重み「４」が割り当てられているＳＦ９、第２番目に小なる輝度重み「２」が割り当てられているＳＦ１０、最も小なる輝度重み「１」が割り当てられているＳＦ１１が順次配列されている。
【００４０】
尚、先頭のサブフィールドＳＦ１、サブフィールド群ＳＧ１内での先頭のサブフィールドＳＦ２、サブフィールド群ＳＧ２内での先頭のサブフィールドＳＦ５、並びにサブフィールドＳＦ８〜ＳＦ１１各々において、上記アドレス行程Ｗｃに先立ち、リセット行程Ｒｃが実行される。リセット行程Ｒｃにおいて、パネル駆動部は、ＰＤＰ１０の全ての放電セルに対して一斉にリセット放電を生起させて、全放電セル内に残留する壁電荷の量を所定量以下に初期化する。かかるリセット放電により、全ての放電セルは強制的に消灯モードに設定される。
【００４１】
図９〜図１６は、図８に示す発光駆動シーケンスに基づき、パネル駆動部が、入力映像信号に応じてＰＤＰ１０を駆動する際の単位表示期間（１フィールド又は１フレームの表示期間）内での発光駆動パターンを示す図である。
【００４２】
図９〜図１６において、白丸印の付されているサブフィールドＳＦでは、放電セルが点灯モードに設定される。つまり、このサブフィールドのサスティン行程Ｉｃでは、上述した如く割り当てられた輝度重みに対応した期間（回数）に亘り放電セルが放電発光を繰り返す。この際、サブフィールドＳＦ１〜ＳＦ１１による単位表示期間内での発光期間の合計に対応した中間輝度レベルが視覚される。
【００４３】
図８に示す発光駆動シーケンスでは、サブフィールド群ＳＧ１内においては先頭のサブフィールドＳＦ２にしかリセット行程Ｒｃが設けられていない。更に、サブフィールド群ＳＧ２内においては先頭のサブフィールドＳＦ５にしかリセット行程Ｒｃが設けられていない。よって、全てのサブフィールドにおいてリセット行程Ｒｃを設けた場合に比して消費電力を低減させ且つコントラストを向上させることが可能となる。この際、サブフィールド群ＳＧ１（又はＳＧ２）内では、放電セルを点灯モードから消灯モードに変更させることが可能な機会はサブフィールドＳＦ２（又はＳＦ５）だけである。よって、サブフィールドＳＦ２〜ＳＦ４（又はＳＦ５〜ＳＦ７）の内のいずれか１のサブフィールドのアドレス行程Ｗｃにて一度放電セルが点灯モードに設定されると、それ以降、ＳＧ１（又はＳＧ２）内における最後尾のサブフィールドＳＦ４（又はＳＦ７）まで点灯モードが維持され、各サブフィールドにおいて連続してサスティン放電発光が為されることになる。
【００４４】
従って、サブフィールド群ＳＧ１内では、図９〜図１６に示されるように、
ＳＦ４のみで点灯
ＳＦ３及びＳＦ４各々で点灯
ＳＦ２〜ＳＦ４各々で点灯
ＳＦ２〜ＳＦ４のいずれも消灯
の如き４種類の発光パターンにより「４６」、「９２」、「１３８」、「０」なる４階調分の輝度成分が表現される。
【００４５】
又、サブフィールド群ＳＧ２内では、
ＳＦ７のみで点灯
ＳＦ６及びＳＦ７各々で点灯
ＳＦ５〜ＳＦ７各々で点灯
ＳＦ５〜ＳＦ７のいずれも消灯
の如き４種類の発光パターンにより「２９」、「５７」、「８６」、「０」なる４階調分の輝度成分が表現される。
【００４６】
一方、輝度重み付けが小なるサブフィールドＳＦ１、ＳＦ８〜ＳＦ１１には、夫々にリセット行程Ｒｃが設けられており、第Ｋ番目に輝度重み付けが小なるサブフィールドに対して２(K-1)なる輝度重みが夫々割り当てられている。つまり、最も輝度重みが小なるサブフィールドＳＦ１１には２(1-1)＝「１」、第２番目に輝度重みが小なるＳＦ１０には２(2-1)＝「２」、第３番目に輝度重みが小なるＳＦ９には２(3-1)＝「４」、第４番目に輝度重みが小なるＳＦ８には２(4-1)＝「８」、第５番目に輝度重みが小なるＳＦ１には２(5-1)＝「１６」なる輝度重みが割り当てられている。よって、これらサブフィールドＳＦ１、ＳＦ８〜ＳＦ１１の如き２のべき乗にて示される輝度重みが割り当てられているサブフィールド各々による点灯状態及び消灯状態の組み合わせ方により、「０」〜「３１」なる３２階調分の輝度成分が表現される。
【００４７】
従って、上述した如きサブフィールド群ＳＧ１及びＳＧ２による夫々４階調分の発光パターンと、サブフィールドＳＦ１及びＳＦ８〜ＳＦ１１による３２階調分の発光パターンとの組み合わせにより、図９〜図１６に示す如き２５６通りの発光駆動パターンが得られる。これにより、入力映像信号によって示される最低輝度レベル〜最大輝度レベルの範囲内の各種の輝度レベルを２５６階調にて表現することができるようになる。
【００４８】
ここで、図８〜図１６にて示される駆動においても、図４〜図７に示される駆動と同様に、比較的小なる輝度重みが割り当てられるサブフィールドＳＦ１及びＳＦ８〜ＳＦ１１からなる第１のサブフィールド群に対しては２のべき乗にて示される輝度重みを割り当てるようにしている。更に、サブフィールド群ＳＧ１及びＳＧ２の如き第２のサブフィールド群に属するサブフィールド各々に対しては２のべき乗にて示される値以外の値を有する輝度重みを割り当てるようにしている。この際、サブフィールドＳＦ１及びＳＦ８〜ＳＦ１１の全てで放電セルが点灯モードに設定されることになる輝度レベル「３１」、「８８」、又は「１３４」よりも１段階だけ高輝度を表す場合には、上記ＳＧ１又はＳＧ２と共に、ＳＦ１及びＳＦ８〜ＳＦ１１の内の少なくとも１のサブフィールドにおいて放電セルを点灯モードに設定する。よって、かかる駆動によれば、隣接する放電セル同士が互いに１段階だけ異なる輝度レベルにて発光駆動される際にも、単位表示期間内の少なくとも１のサブフィールドでは隣接する放電セル同士において点灯及び消灯状態の反転が生じないので、偽輪郭の発生が抑えられる。すなわち、上記駆動によれば、偽輪郭の発生を抑制しつつも、単位表示期間内の全サブフィールド数Ｎに「１」を加算した階調数（Ｎ＋１）よりも階調数を増加させて画像品質を向上させた表示が可能となるのである。
【００４９】
更に、図８に示される発光駆動シーケンスにおいては、２のべき乗にて示される輝度重みが割り当てられている第１のサブフィールド群（ＳＦ１及びＳＦ８〜ＳＦ１１）に属するサブフィールドの内で最も大なる輝度重み「１６」が割り当てられているＳＦ１と、第２番目に大なる輝度重みが割り当てられているＳＦ８との間に、比較的大なる輝度重み「２９」又は「２８」が割り当てられているサブフィールド群ＳＧ２を配置している。更に、これらＳＦ１及びＳＦ８間には、最も大なる輝度重み「４６」が割り当てられているサブフィールド群ＳＧ１を配置している。かかる配置によれば、例えば図９に示す如き輝度レベル「３１」に対応した発光パターンに基づく発光重心と、図１０に示す如き輝度レベル「３２」に対応した発光パターンに基づく発光重心は、共に単位表示期間内の中央付近となるので、夫々の発光重心が単位表示期間内において分散する場合に比して偽輪郭が低減される。
【００５０】
尚、上記実施例においては、入力映像信号にガンマ補正が施されている場合には、駆動制御回路５０が、入力映像信号に対して逆ガンマ補正処理を施してから上記の如き画素データ変換処理を実行するようにしているが、この逆ガンマ補正処理を階調駆動動作に組み込んで実施するようにしても良い。
【００５１】
図１７は、かかる逆ガンマ補正処理をも含ませて、入力映像信号に基づく画像を１１５階調にて表現する場合に採用される発光駆動シーケンスの一例を示す図である。
【００５２】
Ｙ電極ドライバ３０、Ｘ電極ドライバ４０及び駆動制御回路５０からなるパネル駆動部は、図１７に示す発光駆動シーケンスに基づく１１個のサブフィールドＳＦ１〜ＳＦ１１各々において、アドレス行程Ｗｃ及びサスティン行程Ｉｃを夫々実行する。
【００５３】
サブフィールドＳＦ１〜ＳＦ１１各々のアドレス行程Ｗｃにおいて、パネル駆動部は、画素駆動データが点灯モードを示す場合に限りその画素駆動データに対応した放電セルのみにアドレス放電を生起させる。この際、アドレス放電の生起された放電セル内には所定量の壁電荷が形成され、この放電セルは点灯モードに設定される。尚、アドレス放電が生起されなかった放電セルは、現状（点灯モード又は消灯モード）を維持する。
【００５４】
サブフィールドＳＦ１〜ＳＦ１１各々のサスティン行程Ｉｃにおいて、パネル駆動部は、点灯モードに設定されている放電セルのみをそのサブフィールドの輝度重み付けに対応した期間（又は回数）に亘り繰り返しサスティン放電させ、この放電に伴う発光状態を維持させる。
【００５５】
尚、図１７に示すように、サブフィールドＳＦ１〜ＳＦ１１各々には、以下の如き輝度重み付が為されている。
【００５６】
ＳＦ１：１６
ＳＦ２：４６
ＳＦ３：４６
ＳＦ４：４６
ＳＦ５：２
ＳＦ６：２９
ＳＦ７：２８
ＳＦ８：２９
ＳＦ９：１
ＳＦ１０：８
ＳＦ１１：４
つまり、単位表示期間内の先頭には輝度重み「１６」のサブフィールドＳＦ１が配置されている。かかるサブフィールドＳＦ１に後続してサブフィールド群ＳＧ１が配置されている。サブフィールド群ＳＧ１内では、最大の輝度重み「４６」が夫々に割り当てられているサブフィールドＳＦ２，ＳＦ３，ＳＦ４及び第２番目に小なる輝度重み「２」が割り当てられているＳＦ５が順次配列されている。かかるサブフィールド群ＳＧ１に後続して、サブフィールド群ＳＧ２が配置されている。サブフィールド群ＳＧ２内では、２番目に大なる輝度重み「２９」が割り当てられているＳＦ５、それよりも「１」だけ小なる輝度重み「２８」が割り当てられているＳＦ６、輝度重み「２９」が割り当てられているＳＦ７及び最も小なる輝度重み「１」が割り当てられているＳＦ１が順次配列されている。そして、かかるサブフィールド群ＳＧ２に後続して、第４番目に小なる輝度重み「８」が割り当てられているＳＦ１０及び第３番目に小なる輝度重み「４」が割り当てられているＳＦ１１が配置されている。
【００５７】
尚、先頭のサブフィールドＳＦ１、サブフィールド群ＳＧ１内での先頭のサブフィールドＳＦ２、サブフィールド群ＳＧ２内での先頭のサブフィールドＳＦ６、並びにサブフィールドＳＦ１０及びＳＦ１１各々において、上記アドレス行程Ｗｃに先立ち、リセット行程Ｒｃが実行される。リセット行程Ｒｃにおいて、パネル駆動部は、ＰＤＰ１０の全ての放電セルに対して一斉にリセット放電を生起させて、全放電セル内に残留する壁電荷の量を所定量以下に初期化する。かかるリセット放電により、全ての放電セルは強制的に消灯モードに設定される。
【００５８】
図１８〜図２１は、図１７に示す発光駆動シーケンスに基づき、パネル駆動部が、入力映像信号に応じてＰＤＰ１０を駆動する際の単位表示期間（１フィールド又は１フレームの表示期間）内での発光駆動パターンを示す図である。
【００５９】
図１８〜図２１において、白丸印の付されているサブフィールドＳＦでは、放電セルが点灯モードに設定される。つまり、このサブフィールドのサスティン行程Ｉｃでは、上述した如く割り当てられた輝度重みに対応した期間（回数）に亘り放電セルが放電発光を繰り返す。この際、サブフィールドＳＦ１〜ＳＦ１１による単位表示期間内での発光期間の合計に対応した中間輝度レベルが視覚される。
【００６０】
図１８〜図２１に示される発光駆動パターンによると、サブフィールド群ＳＧ１（又はＳＧ２）内では、放電セルを点灯モードから消灯モードに変更させることが可能な機会はサブフィールドＳＦ２（又はＳＦ６）だけとなる。よって、サブフィールドＳＦ２〜ＳＦ５（又はＳＦ６〜ＳＦ９）の内のいずれか１のサブフィールドのアドレス行程Ｗｃにて一度放電セルが点灯モードに設定されると、それ以降、ＳＧ１（又はＳＧ２）内の最後尾のサブフィールドＳＦ５（又はＳＦ９）まで点灯モードが維持され、各サブフィールドにおいて連続してサスティン放電発光が為されることになる。
【００６１】
従って、サブフィールド群ＳＧ１内では、図１８〜図２１に示されるように、
ＳＦ５のみで点灯
ＳＦ４及びＳＦ５各々で点灯
ＳＦ３〜ＳＦ５各々で点灯
ＳＦ２〜ＳＦ５各々で点灯
ＳＦ２〜ＳＦ５のいずれも消灯
の如き５種類の発光パターンにより「２」、「４８」、「９４」、「１４０」、「０」なる５階調分の輝度成分が表現される。
【００６２】
又、サブフィールド群ＳＧ２内では、
ＳＦ９のみで点灯
ＳＦ８及びＳＦ９各々で点灯
ＳＦ７〜ＳＦ９各々で点灯
ＳＦ６〜ＳＦ９各々で点灯
ＳＦ６〜ＳＦ９のいずれも消灯
の如き５種類の発光パターンにより「１」、「３０」、「５８」、「８７」、「０」なる５階調分の輝度成分が表現される。
【００６３】
又、比較的小であり且つ２のべき乗にて示される輝度重みが割り当てられているＳＦ１、ＳＦ１０及びＳＦ１１による８種類の発光パターンにより、「０」、「４」、「８」、「１２」、「１６」、「２０」、「２４」、「２８」なる８階調分の輝度成分が表現される。
【００６４】
従って、サブフィールド群ＳＧ１、ＳＧ２、ＳＦ１、ＳＦ１０及びＳＦ１１による発光パターンの組み合わせにより、各種の中間輝度レベルが表現される。
【００６５】
ここで、図１７〜図２１に示される駆動では、逆ガンマ補正を考慮して、表現すべき輝度レベルが高くなるほど互いに隣接する階調間の輝度差を大にしている。例えば、図１８に示す如く、輝度レベル「０」〜「３２」までの低輝度を表す場合には、互いに隣接する階調間の輝度差は「１」であるが、輝度レベル「３２」よりも高輝度を表現する場合には図１９に示す如く「２」となる。更に、輝度レベル「１１８」よりも高輝度を表現する場合には図２０に示す如く、互いに隣接する階調間の輝度差を「４」にしている。よって、かかる駆動によれば、入力映像信号によって示される最低輝度レベル〜最大輝度レベル、つまり輝度レベル「０」〜「２５５」の範囲内の各種の輝度レベルを図１８〜図２１に示されるが如く、１１５階調で表現することが可能となる。
【００６６】
尚、図１７〜図２１にて示される駆動においても、図４〜図７又は図８〜図１６に示される駆動と同様に、第１のサブフィールド群に属するサブフィールドＳＦ１、ＳＦ５、ＳＦ９〜ＳＦ１１に対しては２のべき乗にて示される輝度重みを割り当てるようにしている。更に、第２のサブフィールド群に属するサブフィールドＳＦ２〜ＳＦ４及びＳＦ６〜ＳＦ８に対しては２のべき乗にて示される値以外の値を有する輝度重みを割り当てている。この際、第１のサブフィールド群に属するＳＦ１、ＳＦ５、ＳＦ９〜ＳＦ１１の全てで放電セルが点灯モードに設定される輝度レベル「３１」、「８８」、又は「１３４」よりも１段階だけ高輝度を表す場合には、図１８〜図２１に示す如く、ＳＦ１、ＳＦ５及びＳＦ９〜ＳＦ１１の内の少なくとも１のサブフィールドでは放電セルが点灯モードのままとなる。よって、かかる駆動によれば、隣接する放電セル同士が互いに１段階だけ異なる輝度レベルにて発光駆動される際にも、単位表示期間内の少なくとも１のサブフィールドでは隣接する放電セル同士において点灯及び消灯状態の反転が生じないので、偽輪郭の発生が抑えられる。又、図１７に示される発光駆動シーケンスにおいては、２のべき乗にて示される輝度重みが割り当てられているサブフィールドの内で最も大なる輝度重み「１６」が割り当てられているＳＦ１と、第２番目に大なる輝度重みが割り当てられているＳＦ１０との間に、最も大なる輝度重み「４６」及び「２９」が割り当てられているサブフィールド群を配置している。かかる配置によれば、例えば輝度レベル「３１」に対応した発光パターンに基づく発光重心と、輝度レベル「３２」に対応した発光パターンに基づく発光重心は、共に単位表示期間内の中央付近となるので、夫々の発光重心が単位表示期間内において分散する場合に比して偽輪郭が低減される。更に、図１７に示す発光駆動シーケンスにおいては、放電セルを点灯モードから消灯モードに推移させることができるリセット行程Ｒｃを、サブフィールドＳＦ１、ＳＦ２、ＳＦ６、ＳＦ１０及びＳＦ１１の５つのサブフィールドのみに設けるようにしている。従って、図４又は図８に示す発光駆動シーケンスに基づく駆動を行う場合に比して単位時間内に実行すべきリセット行程Ｒｃの数が少なくなるので、消費電力を低減させ且つコントラストを向上させることが可能となる。
【００６７】
また、図８又は図１７に示される発光駆動シーケンスにおいては、１１個のサブフィールドによって単位表示期間毎の駆動を実施するようにしているがサブフィールドの数は１１に限定されるものではない。
【００６８】
例えば、図８に示される発光駆動シーケンスに代わり、１２個のサブフィールドにて階調駆動を行う図２２に示す如き発光駆動シーケンスを採用しても良い。
【００６９】
図２２に示される１２個のサブフィールドＳＦ１〜ＳＦ１２各々には、以下の如き輝度重みが割り当てられている。
【００７０】
ＳＦ１：３２
ＳＦ２：８６
ＳＦ３：８６
ＳＦ４：８６
ＳＦ５：８５
ＳＦ６：５２
ＳＦ７：５３
ＳＦ８：１６
ＳＦ９：８
ＳＦ１０：４
ＳＦ１１：２
ＳＦ１２：１
つまり、単位表示期間内の先頭には６番目に小なる輝度重み「３２」が割り当てられているサブフィールドＳＦ１が配置されている。かかるサブフィールドＳＦ１に後続して、最大の輝度重み「８６」が夫々に割り当てられているＳＦ２，ＳＦ３，ＳＦ４、及び輝度重み「８５」が割り当てられているＳＦ５が順次配列されてなるサブフィールド群ＳＧ１が配置されている。かかるサブフィールド群ＳＧ１に後続して、輝度重み「５２」が割り当てられているＳＦ６及び輝度重み「５３」が割り当てられているＳＦ７が順次配列されてなるサブフィールド群ＳＧ２が配置されている。かかるサブフィールド群ＳＧ２に後続して、５番目に小なる輝度重み「１６」が割り当てられているＳＦ８、４番目に小なる輝度重み「８」が割り当てられているＳＦ９、３番目に小なる輝度重み「４」が割り当てられているＳＦ１０、２番目に小なる輝度重み「２」が割り当てられているＳＦ１１、最も小なる輝度重み「１」が割り当てられているＳＦ１２が順次配列されている。
【００７１】
すなわち、比較的小なる輝度重みが割り当てられるサブフィールドＳＦ１及びＳＦ８〜ＳＦ１２からなる第１のサブフィールド群に対しては２のべき乗にて示される輝度重みが割り当てられている。更に、サブフィールド群ＳＧ１及びＳＧ２の如き第２のサブフィールド群に属するサブフィールド各々に対しては２のべき乗にて示される値以外の値を有する輝度重みが割り当てられているのである。  この際、第１のサブフィールド群に属するサブフィールドの内で最大の輝度重みが割り当てられているサブフィールドＳＦ１には第６番目に小なる２のべき乗、つまり２(6-1)にて示される輝度重み「３２」が割り当てられている。更に、第２のサブフィールド群に属するサブフィールドＳＦ６には第７番目に小なる２のべき乗、つまり２(7-1)にて示される値「６４」よりも小なる輝度重み「５２」が割り当てられている。
【００７２】
ここで、サブフィールド群ＳＧ１内においては先頭のサブフィールドＳＦ２及びＳＦ６にしかリセット行程Ｒｃが設けられていない。更に、サブフィールド群ＳＧ２内においては先頭のサブフィールドＳＦ６にしかリセット行程Ｒｃが設けられていない。よって、サブフィールド群ＳＧ１（又はＳＧ２）内では、放電セルを点灯モードから消灯モードに変更させることが可能な機会はサブフィールドＳＦ２（又はＳＦ６）だけである。従って、サブフィールド群ＳＧ１又はＳＧ２内では、いずれか１のサブフィールドにて一度放電セルが点灯モードに設定されると、それ以降、ＳＧ１又はＳＧ２内の最後尾のサブフィールドＳＦ５（又はＳＦ７）まで点灯モードが維持され、その間の各サブフィールドにて連続してサスティン放電発光が為されることになる。
【００７３】
つまり、サブフィールド群ＳＧ１内では、
ＳＦ５のみで点灯
ＳＦ４及びＳＦ５各々で点灯
ＳＦ３〜ＳＦ５各々で点灯
ＳＦ２〜ＳＦ５各々で点灯
ＳＦ２〜ＳＦ５のいずれも消灯
の如き５種類の発光パターンによる５階調分の輝度成分が表現される。
【００７４】
又、サブフィールド群ＳＧ２内では、
ＳＦ７のみで点灯
ＳＦ６及びＳＦ７各々で点灯
ＳＦ６及びＳＦ７のいずれも消灯
の如き３種類の発光パターンによる３階調分の輝度成分が表現される。
【００７５】
又、図１７に示される発光駆動シーケンスに代わり、１２個のサブフィールドにて階調駆動を行うようにした図２３に示す如き発光駆動シーケンスを採用しても良い。
【００７６】
図２３に示される１２個のサブフィールドＳＦ１〜ＳＦ１２各々には、以下の如き輝度重みが割り当てられている。
【００７７】
ＳＦ１：３２
ＳＦ２：８６
ＳＦ３：８６
ＳＦ４：８６
ＳＦ５：８５
ＳＦ６：２
ＳＦ７：５２
ＳＦ８：５３
ＳＦ９：１
ＳＦ１０：１６
ＳＦ１１：８
ＳＦ１２：４
つまり、単位表示期間内の先頭には６番目に小なる輝度重み「３２」が割り当てられているサブフィールドＳＦ１が配置されている。かかるサブフィールドＳＦ１に後続して、最大の輝度重み「８６」が夫々に割り当てられているＳＦ２，ＳＦ３，ＳＦ４、輝度重み「８５」が割り当てられているＳＦ５、２番目に小なる輝度重み「２」が割り当てられているＳＦ６が順次配列されてなるサブフィールド群ＳＧ１が配置されている。かかるサブフィールド群ＳＧ１に後続して、輝度重み「５２」が割り当てられているＳＦ７、輝度重み「５３」が割り当てられているＳＦ８及び最も小なる輝度重み「１」が割り当てられているＳＦ９が順次配列されてなるサブフィールド群ＳＧ２が配置されている。かかるサブフィールド群ＳＧ２に後続して、５番目に小なる輝度重み「１６」が割り当てられているＳＦ１０、４番目に小なる輝度重み「８」が割り当てられているＳＦ１１、３番目に小なる輝度重み「４」が割り当てられているＳＦ１２が順次配列されている。
【００７８】
すなわち、比較的小なる輝度重みが割り当てられるサブフィールドＳＦ１、ＳＦ６及びＳＦ９〜ＳＦ１２からなる第１のサブフィールド群に対しては２のべき乗にて示される輝度重みが割り当てられている。それ以外のサブフィールドＳＦ２〜ＳＦ５、ＳＦ７及びＳＦ８各々に対しては２のべき乗にて示される値以外の値を有する輝度重みが割り当てられているのである。
【００７９】
この際、第１のサブフィールド群に属するサブフィールドの内で最大の輝度重みが割り当てられているサブフィールドＳＦ１には第６番目に小なる２のべき乗、つまり２(6-1)にて示される輝度重み「３２」が割り当てられている。更に、第２のサブフィールド群に属するサブフィールドＳＦ７には、第７番目に小なる２のべき乗、つまり２(7-1)にて示される値「６４」よりも小なる輝度重み「５２」が割り当てられている。
【００８０】
ここで、サブフィールド群ＳＧ１内では、先頭のサブフィールドＳＦ２にしかリセット行程Ｒｃが設けられていない。更に、サブフィールド群ＳＧ２内では、先頭のサブフィールドＳＦ７にしかリセット行程Ｒｃが設けられていない。よって、サブフィールド群ＳＧ１（又はＳＧ２）内では、放電セルを点灯モードから消灯モードに変更させることが可能な機会はサブフィールドＳＦ２（又はＳＦ７）だけである。従って、サブフィールド群ＳＧ１又はＳＧ２内では、いずれか１のサブフィールドにて一度放電セルが点灯モードに設定されると、それ以降、ＳＧ１又はＳＧ２内の最後尾のサブフィールドＳＦ６（又はＳＦ９）まで点灯モードが維持され、その間の各サブフィールドにて連続してサスティン放電発光が為されることになる。
【００８１】
つまり、サブフィールド群ＳＧ１内では、
ＳＦ６のみで点灯
ＳＦ５及びＳＦ６各々で点灯
ＳＦ４〜ＳＦ６各々で点灯
ＳＦ３〜ＳＦ６各々で点灯
ＳＦ２〜ＳＦ６各々で点灯
ＳＦ２〜ＳＦ６のいずれも消灯
の如き６種類の発光パターンによる６階調分の輝度成分が表現される。
【００８２】
又、サブフィールド群ＳＧ２内では、
ＳＦ９のみで点灯
ＳＦ８及びＳＦ９各々で点灯
ＳＦ７〜ＳＦ９各々で点灯
ＳＦ７〜ＳＦ９のいずれも消灯
の如き４種類の発光パターンによる４階調分の輝度成分が表現される。
【００８３】
又、図１７に示される発光駆動シーケンスに代わり、１０個のサブフィールドにて階調駆動を行うようにした図２４に示す如き発光駆動シーケンスを採用しても良い。
【００８４】
図２４に示される１０個のサブフィールドＳＦ１〜ＳＦ１０各々には、以下の如き輝度重みが割り当てられている。
【００８５】
ＳＦ１：８
ＳＦ２：２４
ＳＦ３：２４
ＳＦ４：２３
ＳＦ５：２
ＳＦ６：１４
ＳＦ７：１４
ＳＦ８：１３
ＳＦ９：１
ＳＦ１０：４
つまり、単位表示期間内の先頭には４番目に小なる輝度重み「８」が割り当てられているサブフィールドＳＦ１が配置されている。かかるサブフィールドＳＦ１に後続して、最大の輝度重み「２４」が夫々に割り当てられているＳＦ２，ＳＦ３，輝度重み「２３」が割り当てられているＳＦ４、２番目に小なる輝度重み「２」が割り当てられているＳＦ５が順次配列されてなるサブフィールド群ＳＧ１が配置されている。かかるサブフィールド群ＳＧ１に後続して、輝度重み「１４」が割り当てられているＳＦ６及びＳＦ７、輝度重み「１３」が割り当てられているＳＦ８、及び最も小なる輝度重み「１」が割り当てられているＳＦ９が順次配列されてなるサブフィールド群ＳＧ２が配置されている。かかるサブフィールド群ＳＧ２に後続して、３番目に小なる輝度重み「４」が割り当てられているＳＦ１０が配列されている。
【００８６】
すなわち、比較的小なる輝度重みが割り当てられるサブフィールドＳＦ１、ＳＦ５、ＳＦ９及びＳＦ１０からなる第１のサブフィールド群に対しては２のべき乗にて示される輝度重みが割り当てられている。それ以外のサブフィールドＳＦ２〜ＳＦ４、ＳＦ６〜ＳＦ８各々に対しては２のべき乗にて示される値以外の値を有する輝度重みが割り当てられているのである。
【００８７】
この際、第１のサブフィールド群に属するサブフィールドの内で最大の輝度重みが割り当てられているサブフィールドＳＦ１には第４番目に小なる２のべき乗、つまり２(4-1)にて示される輝度重み「８」が割り当てられている。更に、第２のサブフィールド群に属するサブフィールドＳＦ８には、第５番目に小なる２のべき乗、つまり２(5-1)にて示される値「１６」よりも小なる輝度重み「１３」が割り当てられている。
【００８８】
ここで、サブフィールド群ＳＧ１及びＳＧ２の各々内では、先頭のサブフィールドＳＦ２及びＳＦ６にしかこのリセット行程Ｒｃが設けられていない。よって、サブフィールド群ＳＧ１（又はＳＧ２）内では、放電セルを点灯モードから消灯モードに変更させることが可能な機会はサブフィールドＳＦ２（又はＳＦ６）だけである。従って、サブフィールド群ＳＧ１又はＳＧ２内では、いずれか１のサブフィールドにて一度放電セルが点灯モードに設定されると、それ以降、ＳＧ１又はＳＧ２内の最後尾のサブフィールドＳＦ５（又はＳＦ９）まで点灯モードが維持され、その間の各サブフィールドにて連続してサスティン放電発光が為されることになる。
【００８９】
つまり、サブフィールド群ＳＧ１内では、
ＳＦ５のみで点灯
ＳＦ４及びＳＦ５各々で点灯
ＳＦ３〜ＳＦ５各々で点灯
ＳＦ２〜ＳＦ５各々で点灯
ＳＦ２〜ＳＦ５のいずれも消灯
の如き５種類の発光パターンによる５階調分の輝度成分が表現される。
【００９０】
又、サブフィールド群ＳＧ２内では、
ＳＦ９のみで点灯
ＳＦ８及びＳＦ９各々で点灯
ＳＦ７〜ＳＦ９各々で点灯
ＳＦ６〜ＳＦ９各々で点灯
ＳＦ６〜ＳＦ９のいずれも消灯
の如き５種類の発光パターンによる５階調分の輝度成分が表現される。
【００９１】
又、上記実施例においては、サブフィールド法に基づきＰＤＰ１０を駆動するにあたり、リセット行程Ｒｃでは全放電セル内から壁電荷を消去しておき、アドレス行程Ｗｃにおいて選択的に各放電セル内に壁電荷を形成させるようにした、いわゆる選択書込アドレス法を採用した場合について説明した。しかしながら、リセット行程Ｒｃにおいて全放電セル内に壁電荷を形成させておき、アドレス行程Ｗｃにおいて選択的に放電セル内に残存する壁電荷を消去する、いわゆる選択消去アドレス法を採用した駆動にも同様に適用可能である。この際、図４、図８、図１７、図２２〜図２４に示す如き発光駆動シーケンスに代わり、その単位表示期間内のサブフィールドの配置順番を逆にした発光駆動シーケンスを採用する。例えば、選択消去アドレス法を採用して図４〜図７に示す駆動を実行する場合には、単位表示期間内の先頭のサブフィールドを図４に示す如きＳＦ７とし、これに後続させて図４に示す如きＳＦ６、ＳＦ５、ＳＦ４、ＳＦ３、ＳＦ２、ＳＦ１を順次配置した発光駆動シーケンスを採用する。又、選択消去アドレス法を採用して図８〜図１６に示す駆動を実行する場合には、単位表示期間内の先頭のサブフィールドを図８に示す如きＳＦ１１とし、これに後続させて図８に示す如きＳＦ１０、ＳＦ９、ＳＦ８、ＳＦ７、ＳＦ６、ＳＦ５、ＳＦ４、ＳＦ３、ＳＦ２、ＳＦ１を順次配置した発光駆動シーケンスを採用するのである。
【図面の簡単な説明】
【００９２】
【図１】サブフィールド法に基づく発光駆動シーケンスと、偽輪郭が発生する発光パターンの一例を示す図である。
【図２】偽輪郭の発生を抑制する発光パターンを示す図である。
【図３】本発明の駆動方法に従ってプラズマディスプレイパネルを階調駆動するパネル駆動部を備えたプラズマディスプレイ装置の構成を示す図である。
【図４】選択書込アドレス法を採用してプラズマディスプレイパネルを階調駆動する際の発光駆動シーケンスの一例を示す図である。
【図５】図４に示す発光駆動シーケンスに基づきプラズマディスプレイパネルを階調駆動する際の発光パターンを示す図である。
【図６】図４に示す発光駆動シーケンスに基づきプラズマディスプレイパネルを階調駆動する際の発光パターンを示す図である。
【図７】図４に示す発光駆動シーケンスに基づきプラズマディスプレイパネルを階調駆動する際の発光パターンを示す図である。
【図８】選択書込アドレス法を採用してプラズマディスプレイパネルを階調駆動する際の発光駆動シーケンスの他の一例を示す図である。
【図９】図８に示す発光駆動シーケンスに基づきプラズマディスプレイパネルを階調駆動する際の発光パターンを示す図である。
【図１０】図８に示す発光駆動シーケンスに基づきプラズマディスプレイパネルを階調駆動する際の発光パターンを示す図である。
【図１１】図８に示す発光駆動シーケンスに基づきプラズマディスプレイパネルを階調駆動する際の発光パターンを示す図である。
【図１２】図８に示す発光駆動シーケンスに基づきプラズマディスプレイパネルを階調駆動する際の発光パターンを示す図である。
【図１３】図８に示す発光駆動シーケンスに基づきプラズマディスプレイパネルを階調駆動する際の発光パターンを示す図である。
【図１４】図８に示す発光駆動シーケンスに基づきプラズマディスプレイパネルを階調駆動する際の発光パターンを示す図である。
【図１５】図８に示す発光駆動シーケンスに基づきプラズマディスプレイパネルを階調駆動する際の発光パターンを示す図である。
【図１６】図８に示す発光駆動シーケンスに基づきプラズマディスプレイパネルを階調駆動する際の発光パターンを示す図である
【図１７】逆ガンマ補正を考慮した、選択書込アドレス法に基づく発光駆動シーケンスの一例を示す図である。
【図１８】図１７に示す発光駆動シーケンスに基づきプラズマディスプレイパネルを階調駆動する際の発光パターンを示す図である。
【図１９】図１７に示す発光駆動シーケンスに基づきプラズマディスプレイパネルを階調駆動する際の発光パターンを示す図である。
【図２０】図１７に示す発光駆動シーケンスに基づきプラズマディスプレイパネルを階調駆動する際の発光パターンを示す図である。
【図２１】図１７に示す発光駆動シーケンスに基づきプラズマディスプレイパネルを階調駆動する際の発光パターンを示す図である。
【図２２】図８に示す発光駆動シーケンスの変形例を示す図である。
【図２３】図１７に示す発光駆動シーケンスの変形例を示す図である。
【図２４】図１７に示す発光駆動シーケンスの変形例を示す図である。
【符号の簡単な説明】
【００９３】
１０    ＰＤＰ
２０    アドレスドライバ
３０    Ｙ電極ドライバ
４０    Ｘ電極ドライバ
５０    駆動制御回路
【図１】
2006145976.tif 000003
【図２】
2006145976.tif 000004
【図３】
2006145976.tif 000005
【図４】
2006145976.tif 000006
【図５】
2006145976.tif 000007
【図６】
2006145976.tif 000008
【図７】
2006145976.tif 000009
【図８】
2006145976.tif 000010
【図９】
2006145976.tif 000011
【図１０】
2006145976.tif 000012
【図１１】
2006145976.tif 000013
【図１２】
2006145976.tif 000014
【図１３】
2006145976.tif 000015
【図１４】
2006145976.tif 000016
【図１５】
2006145976.tif 000017
【図１６】
2006145976.tif 000018
【図１７】
2006145976.tif 000019
【図１８】
2006145976.tif 000020
【図１９】
2006145976.tif 000021
【図２０】
2006145976.tif 000022
【図２１】
2006145976.tif 000023
【図２２】
2006145976.tif 000024
【図２３】
2006145976.tif 000025
【図２４】
2006145976.tif 000026